(57)【特許請求の範囲】
【請求項１】
型枠の底部等に支持させる埋込み部材の位置を調整する調整装置であって、この調整装置は埋込部材を座板に支持させ、該座板をこれよりも必要な調整範囲だけ大きく型枠の底部等に形成される受部へ係合させて、受部内の座板の設置位置を調整範囲内において任意に選択できるようにすると共に、位置設定された座板と受部との間に生じる隙間を閉塞板により閉塞させる構成としたことを特徴とする埋込部材の位置調整装置。
【発明の詳細な説明】
【０００１】
【発明の属する技術分野】
本発明は、コンクリート製品へ埋込む埋込部材の位置調整装置に関する。
【０００２】
【従来の技術】
コンクリート枕木、コンクリートスラブ等はレール固定用の埋込部材が組をなすように埋込まれるものであって、レールのカーブする部分に使用されるものは
、埋込部材の設置位置をカーブに合わせて変化させなければならない
【０００３】
しかしながら、現在、埋込部材の設置位置を前記変化に応じて任意に調整できる調整装置は提供されていない。このため、業界では埋込部材の設置位置が異なる型枠を必要数製作して、これらの型枠により埋込部材の設置位置が異なるコンクリート枕木やコンクリートスラブを製造している状態である。
【０００４】
【発明が解決しようとする課題】
本発明は前記現状に鑑みなされたもので、埋込部材の設置位置を任意に設定できるようにして、埋込部材の設置位置が異なる幾種類ものコンクリート枕木やコンクリートスラブでも１つの型枠により製造することができる埋込部材の位置調整装置を提供することをその課題とする。
【０００５】
【課題を解決するための手段】
前記課題を解決するため本発明に係る埋込部材の位置調整装置は、型枠の底部等に支持させる埋込部材の位置を調整する調整装置において、埋込部材を座板に支持させ、該座板をこれよりも必要な調整範囲だけ大きく型枠の底部等に形成される受部へ係合させて、受部内の座板の設置位置を調整範囲内において任意に選択できるようにすると共に、位置設定された座板と受部との間に生じる隙間を閉塞板により閉塞させる構成を採用することを特徴とする。
【０００６】
【発明の実施の形態】
図１〜図７は、本発明に係る埋込部材の位置調整装置をコンクリート枕木の成形型枠へ実施した態様を示す。
この装置Ａは、コンクリート枕木（図面省略）を成形させる型枠１と、この型枠１の底部等２へ座板３に支持させて取付ける埋込み部材４と、型枠１の底部等２に設けて座板３を位置調整ができるように係合させる受部５と、座板３と受部５との間に生ずる隙間を閉塞させる閉塞板６とにより構成される。
【０００７】
前記装置Ａの埋込み部材４を支持させる座板３は、２個の埋込部材４を取付ける孔７をレール（図面省略）に適合する間隔で設けられ、これらの孔７にそれぞれ埋込部材４を係合させて、この埋込部材４の座板３より下側へ出る部分に型枠１の底部等２に取付けられる開閉式の固定手段８を係合させると、埋込部材４が座板３により型枠１の底部等２へ固定されるようにする。なお、開閉式の固定手段8は、座板３の移動調整に応じてこれも移動調整できる構成とする。
【０００８】
座板３を係合させる受部５は、型枠１の底部等２に座板４よりもその設定位置を変更するに必要な調整範囲だけ左右方向へ大きく形成して、下側に段部９を設けられる窓孔構造とし、その内部に下面を段部９に支持させると上面が周囲の底部等２と面一をなすように座板３を係合させて、この座板３を前記調整範囲内において希望する位置へ位置付けできるようにする。
【０００９】
座板３は前記のように受部５内を自由に移動させて位置調整をし、調整後は固定する必要がある。このため、図２に示すように段部９に支持される部分にボルト１０を植え込み、このボルト１０を図４に示すように段部９に設けた左右方向の長孔１１を貫通させて先端にナット１２を螺合させて置くと、ナット１２を緩めれば自在に移動する座板３を締付けによって固定することができる。
【００１０】
受部５内の希望位置に座板３が位置付けされたとき、座板３と受部５との間に生ずる隙間を塞がせる閉塞板６は、隙間の閉塞だけでなく座板３の位置決めを行なわせることができる。即ち、希望する埋込部材２の設置位置に応じて座板４と受部６との間に存在する隙間は調整範囲から算出することができるので、この算出寸法に基づいた巾の閉塞板６を形成して置いてこの閉塞板６を受部６に係合させ、この閉塞板６へ当接するように受部５に座板３を係合させれば、座板３の位置決めと共に隙間の閉塞が行なわれる。
【００１１】
前記のように隙間を塞がせた閉塞板６も離脱しないように受部５へ固定する必要がある。このため、閉塞板６の段部９に係合する部分に図４（ｂ）に示すようにボルト１３を植え込んで、このボルト１３を図４（ａ）に示すように段部９に設けた左右方向の長孔１４を貫通させ、先端にナット１５を螺合させてその締付けを行なえば、閉塞板６を段部９へ固定することが出来る。
【００１２】
また、前記した植え込みボルト１３は、図４（ｃ）に示すように閉塞板６にあけた皿形座ぐりの孔１６に通す皿ねじ１３‘に変更しても、これを段部９に設けた長孔１４に通して先端にナット１５の螺合締着を行なえば、前記先端に同様の固定効果が得られる。更に、閉塞板６の固定は図４(ｄ)に示すように段部９に接触する部分に剥離が可能な接着剤１７を塗布し、この接着剤１７により段部９へ接着する固定を行なってもよい。
【００１３】
前記実施形態に示す装置Ａは、埋込部材４を希望位置に設置すると、図１，図３に示すように座板３の両側に受部５との隙間が生ずる場合は、この隙間に合わせた２片の閉塞板６を形成して、その一方を図５（ａ）に示す受部５の右端へ密着するように係合させ、その左側へ図５（ｂ）に示すように閉塞板６と密着するように埋込部材４を支持させた座板３を係合させる。そして、座板３と受部５の左端との間に生じた隙間に図５（ｃ）に示すように他方の閉塞板６を係合させると、２片の閉塞板６により座板３が位置決めされると共に隙間の閉塞が行なわれて希望する位置への埋込み部材４の設置が行なわれる。
【００１４】
また、埋込部材４を希望位置に設置すると、図面には示してないが座板３が受部５の一側に密着して、その他側と受部５の他側との間に隙間を生ずる場合は、この隙間に合わせた１片の閉塞板６を形成し、この閉塞板６を受部５内へその一側と密着するように係合させて、閉塞板６と受部５の他側との間に生じた隙間へ埋込み部材４を支持させた座板３を係合させると、座板３は１片の閉塞板６により位置決めされると共に、隙間を閉塞されてこの場合も希望する位置への埋込部材４の設置が行なわれる。
【００１５】
前記のように閉塞板６により座板３の位置決めと閉塞とを行なわせる場合は、埋込部材４の設置位置を変更する必要が生ずる都度、受部５に係合させてある閉塞板６を取り外して、新に設定しようとする埋込部材４の位置に合わせて形成した閉塞板６を受部５に係合させ、座板３の位置決めと隙間の閉塞とを行なわせるようにすれば、埋込部材４の設置位置を必要とする調整範囲内において任意に変換することが出きるから、埋込部材４の設置位置が異なる幾種類ものコンクリート枕木の製造を１つの型枠によって行なうことができる。
【００１６】
図６はこの装置Ａにおける座板３の位置決めをねじにより行なう実施形態を示す。この実施形態は座板３の一側縁に回動可能におねじ１８を止着し、型枠１の底部等２の裏側にめねじ１９を設けた支持片２０を付設して、この支持片２０のめねじ１９に前記おねじ１８を螺合させるとともに、おねじ１８にその回転を止めるロックナット２１を螺合させた構成とする。
【００１７】
前記実施形態に装置Ａは、おねじ１８を一方へ回すと座板３が例えば右側へ移動し、他方へ回すと座板３が反対に左側へ移動する。従って、この操作により座板３が希望位置へ位置決めされたとき、ロックナット２１を支持板２０へ当るように締付けておねじ１８をロックし、座板３の両側に生じている受部５との隙間に閉塞板６を係合させて隙間を閉塞させれば、埋込み部材４を型枠１における底部等２の希望位置へ設置することができて、しかも、設置された位置を変更したいときは、閉塞板６を受部５から外してロックナット２１によるおねじ１８のロックを解き、おねじ１８を回転させて座板３の位置を変更し、希望位置において停止させて隙間を閉塞板６により閉塞させる操作をその都度行なえば、この場合も埋込部材４の設置位置が異なる幾種類ものコンクリート枕木を１つの型枠１を用いて製造することができる。
【００１８】
図７は、受部５内においての座板３の移動により等間隔を保つて設置位置を調整される２個の埋込部材４と４の間隔を変化させる調整ができるようにした形態を示す。この形態では座板３に後記転換座を係合させるテーパーまたは段付きの孔２２を設け、この孔２２に左右の方向へ転換可能に転換座２３を係合させて、該転換座２３に中心より偏らせた孔７をあけ、この孔７に埋込部材４を係合させる。こうすれば、転換座２３を図７（ａ）に示す態様から図７（ｂ）に示す態様に転換することにより埋込部材４の中心位置をＬだけ変化させることができるから、この調整により組をなす２個の埋込部材４，４の対応間隔を簡便迅速に変更することも出来る。
【００１９】
図８はこの装置Ａをコンクリートスラブの成形型枠１へ実施した形態を示す。この実施形態は型枠１の底部等２に受部５が所定の間隔で数組設けられていて、これら各組の受部５には埋込部材４を取付けられた座板３がそれぞれ係合されている。そして、埋込部材４を希望する位置に位置設定した際、座板３と受部５との間に存在する隙間に閉塞板６を係合させるものであり、座板３の位置決めは巾を決めた閉塞板６を受部５へ係合させて行なうか、座板３と型枠１の底部等２をおねじ１０により連結して、このおねじ１０により座板３を移動させて行なうものである。しかし、これらの位置決めと隙間の閉塞とは図１〜図６に示したコンクリート枕木の成形用型枠１に用いたものと同一構造で、同一の機能を果たすものであり、図７に示す埋め込み部４，４の対応間隔の調整も同様に採用し得る。しかし、これらを採用する態様の詳細な説明および図面は省略する。
【００２０】
本発明は調整装置は、前記実施形態に示すように埋込部材４が組をなすように座板３へ取付けられる場合に使用されるだけでなく、埋込部材４が座板３へ１つだけ取付けられる場合にも使用することができることは勿論である。
【００２１】
【発明の効果】
請求項１の効果  座板を必要な調整範囲だけ大きく形成される受部に係合させれば、調整範囲内において埋込部材の設置位置は任意に多様に変更することができるから、埋込部材の設置位置が異なる幾種類ものコンクリート枕木、あるいは並列される埋込部材の設置位置がそれぞれに相違する幾種類ものコンクリートスラブを同じ型枠により製造することができるようになって、埋込部材の設置位置が異なるコンクリート枕木や、コンクリートスラブを埋込部材の設置位置を違えて形成した幾種類もの型枠により形成した従来に比べて設備費を大幅に削減することができて、しかも、埋込部材の複数が組をなす場合の位置調整も同時に同様に行われて大変に便利である。
【図面の簡単な説明】
【図１】本発明に係る埋込部材の位置調整装置のコンクリート枕木成形用型枠への実施形態を示す平面図
【図２】図１のＸ−Ｘ線の断面図
【図３】図１のＹ−Ｙ線における断面図
【図４】（ａ）（ｂ）（ｃ）（ｄ）は座板と閉塞板の固定手段を示す説明図
【図５】（ａ）（ｂ）（ｃ）は座板の位置調整状態を示す説明図
【図６】ねじによる座板の調整手段を示す正面図
【図７】（ａ）（ｂ）は埋込部材の対応間調整手段を示す説明図
【図８】埋込部材の位置調整装置をコンクリートスラブ成形用型枠へ実施した態様を示す平面図
【符号の説明】
Ａ  調整装置
１  型枠
２  底部等
３  座板
４  埋込部材
５  受部
６  閉塞板
【図１】
0004494656.tif 000002
【図２】
0004494656.tif 000003
【図３】
0004494656.tif 000004
【図４】
0004494656.tif 000005
【図５】
0004494656.tif 000006
【図６】
0004494656.tif 000007
【図７】
0004494656.tif 000008
【図８】
0004494656.tif 000009